(57)【要約】【課題】機械的なブレ補正機構の有無に関わらず、撮影者の特性に合わせて像ブレの軽減を行うことができる撮像装置を提供する。【解決手段】撮影後、像ブレ判定部１６ａにより像ブレが発生したと判定された場合には、像ブレ要因探索部１６ｂが、撮影条件のうち像ブレ要因となるものを探索する。探索の結果に基づき、記録制御部１６ｃが像ブレ発生回数３２を増やす。表示制御部１６ｄは、像ブレ判定履歴３１に含まれる像ブレ発生件数を数える。像ブレ発生件数が３件以上であった場合、像ブレ発生回数３２に基づいて、像ブレを抑制するためのアドバイスを表示する。記録制御部１６ｃは、像ブレ判定履歴３１に基づいて上達レベル３３を記録する。撮影パラメータ値を自動設定する自動設定部１６ｅは、上達レベル３３が高いほど撮影パラメータ値の設定範囲を広くする。【選択図】図１
2010109920.tif 000002
【特許請求の範囲】
【請求項１】
撮影画像の像ブレ量が所定量以上か否かを判定する像ブレ判定手段と、
前記像ブレ判定手段による判定結果の履歴を記録する履歴記録手段と、
前記履歴記録手段が記録した前記判定結果の履歴において、履歴全体に対する肯定判定の数が所定割合以上である場合、像ブレ量を軽減するためのアドバイスを表示するアドバイス表示手段と、
を備えることを特徴とするカメラ。
【請求項２】
請求項１に記載のカメラにおいて、
前記アドバイス表示手段は、あらかじめ用意された複数のアドバイスから無作為に選択したアドバイスを表示することを特徴とするカメラ。
【請求項３】
請求項１に記載のカメラにおいて、
前記像ブレ判定手段により行われた肯定判定に応じて、撮影条件に基づき像ブレ要因を探索する探索手段と、
前記像ブレ要因毎に、前記像ブレ判定手段により行われた肯定判定の回数を記録する回数記録手段と、
を更に備え、
前記アドバイス表示手段は、前記回数記録手段に記録された前記像ブレ要因毎の回数に基づいてアドバイスを表示することを特徴とするカメラ。
【請求項４】
請求項３に記載のカメラにおいて、
前記回数記録手段に記録された判定回数が多い順に、所定数の前記像ブレ要因を選択する選択手段を更に備え、
前記アドバイス表示手段は、前記選択手段により選択された各々の前記像ブレ要因に対応するアドバイスを表示することを特徴とするカメラ。
【請求項５】
請求項３に記載のカメラにおいて、
前記アドバイス表示手段は、前記回数記録手段に記録された回数が最も多い前記像ブレ要因に対応するアドバイスを表示することを特徴とするカメラ。
【請求項６】
請求項１〜５のいずれか一項に記載のカメラにおいて、
撮影条件に基づいて、前記カメラの撮影パラメータ値を所定の範囲内で自動的に設定する自動設定手段を更に備え、
前記自動設定手段は、前記履歴記録手段が記録する前記判定結果の履歴に基づいて、前記所定の範囲を変化させることを特徴とするカメラ。
【請求項７】
請求項１〜６のいずれか一項に記載のカメラにおいて、
前記カメラの利用者を識別する識別手段を更に備え、
前記履歴記録手段は、前記識別手段が識別する前記利用者毎に、前記判定結果の履歴を記録することを特徴とするカメラ。
【請求項８】
請求項７に記載のカメラにおいて、
前記履歴記録手段は、前記識別手段が識別する前記利用者毎に、撮影に用いたカメラの機種と前記機種を用いた撮影における前記判定結果の履歴とを関連付けて記録することを特徴とするカメラ。
【請求項９】
請求項８に記載のカメラにおいて、
前記履歴記録手段は、前記カメラの機種と前記機種を用いた撮影における前記判定結果の履歴とを、前記カメラへ着脱可能な記憶媒体に記録することを特徴とするカメラ。
【請求項１０】
カメラ毎に記録された、像ブレ要因毎の像ブレ発生回数を受信する受信工程と、
前記受信工程により受信された前記カメラ毎の像ブレ発生回数を、前記像ブレ要因毎に集計する集計工程と、
前記集計工程により作成された前記像ブレ要因毎の前記像ブレ発生回数を記録する記録工程と、
をコンピュータに実行させることを特徴とする管理プログラム。
【発明の詳細な説明】
【技術分野】
【０００１】
本発明は、ユーザーの特性に基づいて像ブレを軽減するカメラおよびプログラムに関する。
【背景技術】
【０００２】
デジタルカメラなどの撮像装置で撮像を行うとき、撮像装置に振動が加わると、被写体像に像ブレが発生することがある。像ブレが発生すると、鮮明な被写体像を得ることができない。そのため、撮像装置の振動に追従して光学系を駆動させる技術など、像ブレを軽減するための技術が提案されている。特許文献１では、撮影者固有の振動波形を記憶して像ブレを予測する技術が開示されている。
【０００３】
【特許文献１】特開平８−２６２５１７号公報
【発明の開示】
【発明が解決しようとする課題】
【０００４】
特許文献１に記載の従来技術では、ブレ補正に複雑な計算アルゴリズムが必要となることに加え、撮像装置に機械的なブレ補正機構が必須であるという問題があった。
【課題を解決するための手段】
【０００５】
請求項１に係る発明は、撮影画像の像ブレ量が所定量以上か否かを判定する像ブレ判定手段と、前記像ブレ判定手段による判定結果の履歴を記録する履歴記録手段と、前記履歴記録手段が記録した前記判定結果の履歴において、履歴全体に対する肯定判定の数が所定割合以上である場合、像ブレ量を軽減するためのアドバイスを表示するアドバイス表示手段と、を備えることを特徴とするカメラである。
請求項１０に係る発明は、カメラ毎に記録された、像ブレ要因毎の像ブレ発生回数を受信する受信工程と、前記受信工程により受信された前記カメラ毎の像ブレ発生回数を、前記像ブレ要因毎に集計する集計工程と、前記集計工程により作成された前記像ブレ要因毎の前記像ブレ発生回数を記録する記録工程と、をコンピュータに実行させることを特徴とする管理プログラムである。
【発明の効果】
【０００６】
本発明によれば、機械的な像ブレ補正機構の有無に関わらず、簡易なアルゴリズムにより撮影者の特性に合わせて像ブレの軽減を行うことができる。
【発明を実施するための最良の形態】
【０００７】
――第１の実施の形態――
図面を用いて、本発明の一実施の形態によるデジタルカメラについて説明する。この実施の形態のデジタルカメラは、撮影毎に像ブレが発生したか否かを記録し、その結果に応じて特別な表示を行ったり、撮影パラメータ値の設定範囲を変更したりする。
【０００８】
図１は本実施の形態によるデジタルカメラの機能的構成を示すブロック図である。デジタルカメラ１は、入力装置１３，焦点調節装置１４，撮像素子１５，制御回路１６，ＤＲＡＭ１７，フラッシュメモリ１８，ＬＣＤ駆動回路１９，液晶モニタ２０，メモリカードインタフェース（Ｉ／Ｆ）２１，記憶媒体２２，およびジャイロセンサ２３を備える。
【０００９】
撮像素子１５は、画素に対応する複数の光電変換素子を備えたＣＣＤやＣＭＯＳイメージセンサによって構成される。撮像素子１５は、撮像面上に結像されている被写体像を撮像し、被写体像の明るさに応じた光電変換信号（画像信号）を出力する。撮像素子１５の撮像面には、それぞれＲ（赤）、Ｇ（緑）およびＢ（青）のカラーフィルタが画素位置に対応するように設けられている。撮像素子１５がカラーフィルタを通して被写体像を撮像するため、各撮像素子から出力される画像信号は、それぞれＲＧＢ表色系の色情報を有する。
【００１０】
撮像素子１５から出力された画像信号は制御回路１６に入力される。制御回路１６は、画像信号に対して種々の画像処理を行い、画像データを生成する。そして、制御回路１６は生成された画像データに対してＪＰＥＧなどの所定の方式により圧縮処理を行い、ＥＸＩＦなどの形式で記憶媒体２２へ記録する。制御回路１６は、たとえばＲＩＳＣなどで構成され、図１に示す各機能部を制御する。
【００１１】
焦点調節装置１４は、撮像素子１５から出力される撮像信号に基づいて周知の焦点評価値演算を行い、演算結果を制御回路１６へ出力する。制御回路１６は、上記演算結果に基づいて、焦点評価値が最大となる位置へ撮影レンズ１０を移動する。
【００１２】
ＤＲＡＭ１７は、画像処理、画像圧縮処理および表示用画像データ作成処理の途中や処理後のデータを一時的に格納するために使用される。表示用画像データは、制御回路１６が撮像素子１５からの出力に基づいて生成した画像データ、もしくは記憶媒体２２に記録されている画像データに基づいて、制御回路１６により生成される。生成された表示用画像データは、制御回路１６によりＤＲＡＭ１７に格納される。フラッシュメモリ１８は、たとえば制御回路１６が演算を行なうための各種の処理プログラムが記憶された不揮発性メモリである。
【００１３】
ＬＣＤ駆動回路１９は制御回路１６の命令に基づいて液晶モニタ２０を駆動し、液晶モニタ２０は表示用画像データに基づき画像を表示する。また、液晶モニタ２０は、デジタルカメラの各種設定メニュー画面の表示を行なう。入力装置１３は、レリーズボタンや再生ボタンなどの種々の操作ボタンを含み、使用者による各操作ボタンの操作信号を制御回路１６へ出力する。ジャイロセンサ２３はデジタルカメラ１に対して加えられた振動の大きさを測定し、振動の大きさを表す信号を制御回路１６へ出力する。
【００１４】
制御回路１６は像ブレ判定部１６ａ，像ブレ要因探索部１６ｂ，記録制御部１６ｃ，表示制御部１６ｄ，および自動設定部１６ｅを有する。像ブレ判定部１６ａは、ジャイロセンサ２３が出力する信号や撮影画像に対する種々の画像解析結果を用いて撮影画像における像ブレ量を定量化する。そして、この像ブレ量が所定のしきい値を上回っている場合には、撮影画像において像ブレが発生していると判定する。
【００１５】
像ブレ要因探索部１６ｂは、像ブレ判定部１６ａによる像ブレ判定に応じて、撮影条件に基づいて像ブレ要因を探索する。記録制御部１６ｃは、像ブレ判定部１６ａによる判定結果および像ブレ要因探索部１６ｂによる探索結果に基づいて、後述する像ブレ判定履歴、像ブレ発生回数、および上達レベルをフラッシュメモリ１８へ記録する。
【００１６】
表示制御部１６ｄは、像ブレ判定部１６ａによる判定の結果、ならびに、フラッシュメモリ１８に記録されている像ブレ判定履歴および像ブレ発生回数に基づいて、液晶モニタ２０へ撮影者へのアドバイスや褒め言葉を表示する。
【００１７】
自動設定部１６ｅは、デジタルカメラ１のシャッター速度あるいはＩＳＯ感度を自動設定する。通常、撮影を行うときのシャッター速度やＩＳＯ感度は、ユーザーが手動で設定する。本実施形態のデジタルカメラ１は、これらの撮影パラメータ値を自動設定部１６ｅに自動的に設定させることができる。ユーザーが自動設定を行うよう指示した場合、自動設定部１６ｅにより、例えば測光結果などに基づいて、自動的に撮影パラメータ値が設定される。
【００１８】
次に、記録制御部１６ｃがフラッシュメモリ１８に記録するデータについて、図を用いて説明する。図２は、記録制御部１６ｃがフラッシュメモリ１８に記録するデータを示す図である。記録制御部１６ｃはフラッシュメモリ１８へ像ブレ判定履歴３１と、像ブレ発生回数３２と、上達レベル３３とを記録する。
【００１９】
像ブレ判定履歴３１は、像ブレ判定部１６ａが撮影毎に行う像ブレ判定の判定結果を、撮影順に記録したデータである。像ブレ判定履歴３１には、最大５０件の判定結果が記録される。５１回目以降の判定結果を記録する際には、最古の判定結果が削除される。すなわち、像ブレ判定履歴３１は、像ブレ判定部１６ａの判定結果を記録するＦＩＦＯバッファとして振る舞う。
【００２０】
像ブレ発生回数３２は、像ブレ要因探索部１６ｂが探索する像ブレ要因ごとの、像ブレ発生回数を記録したデータである。像ブレ要因探索部１６ｂは要因Ａ〜要因Ｆまでの６種類の像ブレ要因を探索するので、像ブレ発生回数３２もこれに合わせて６種類分の像ブレ発生回数３２Ａ〜３２Ｆを記録するように構成されている。例えば図２では、これまでに要因Ａによる像ブレが１回発生していること（３２Ａ）、要因Ｂによる像ブレは発生したことがないこと（３２Ｂ）、などが示されている。
【００２１】
なお、像ブレ要因探索部１６ｂは、１回の像ブレ発生につき、撮影条件から像ブレ要因となりうる全ての要因を挙げる。また記録制御部１６ｃは、像ブレが発生する都度、像ブレ要因探索部１６ｂにより挙げられた全ての要因について、像ブレ発生回数３２を１増やす。従って、像ブレ発生回数３２に記録された数を合計しても、これまでに発生した像ブレの総数となるとは限らない。また、像ブレ発生回数３２は、像ブレ判定履歴３１とは異なり、５０回以上前の撮影で発生した像ブレの回数を含む。
【００２２】
上達レベル３３は、ユーザーの撮影技術を表す整数であり、例えば−８以上、＋８以下の値を採る。上達レベル３３が高いほど、自動設定部１６ｅが自動設定する撮影パラメータ値の設定範囲が広くなる。上達レベル３３は、像ブレ判定履歴３１に記録されている５０件の判定履歴が全て「Ｆ（像ブレなし）」になると高くなり、像ブレの発生回数が多いと低くなる。
【００２３】
図３は、上達レベル３３の値に応じて自動設定部１６ｅが設定する撮影パラメータ値を示す図である。自動設定テーブル３６には、５段階に分かれた上達レベル３３の値と、各々の上達レベルにおけるシャッター速度下限およびＩＳＯ感度上限が示されている。例えば上達レベルが＋１〜−１のいずれかの値であった場合には、自動設定部１６ｅはシャッター速度を１／１５秒以上の値に自動設定し、ＩＳＯ感度をＩＳＯ４００以下の値に自動設定する。
【００２４】
次に、像ブレ要因探索部１６ｂが探索する像ブレ要因、ならびに、表示制御部１６ｄが液晶モニタ２０に表示するアドバイスについて説明する。撮影後、像ブレ判定部１６ａにより像ブレが発生したと判定された場合には、像ブレ要因探索部１６ｂによって、撮影条件のうち像ブレ要因となるものが探索される。そして、像ブレ要因探索部１６ｂによる探索の結果に基づき、記録制御部１６ｃが像ブレ発生回数３２を増やす。その後、表示制御部１６ｄは、像ブレ判定履歴３１に含まれる像ブレ発生件数を数える。像ブレ発生件数が３件以上であった場合、表示制御部１６ｄは、像ブレ発生回数３２に基づいて、像ブレを抑制するためのアドバイスを表示する。
【００２５】
図４は、像ブレ要因探索部１６ｂが探索する像ブレ要因と、各々の像ブレ要因に対応するアドバイスとを示す図である。像ブレ要因探索部１６ｂは、像ブレ要因テーブル３５に示した要因Ａ〜要因Ｆの６つの像ブレ要因を、撮影条件から探索する。
【００２６】
表示制御部１６ｄは、記録制御部１６ｃが像ブレ発生回数３２を更新した後、像ブレ判定履歴３１に像ブレの発生が３回以上記録されているかを確認する。像ブレの発生が３回以上見つかった場合には、要因Ａ〜要因Ｆの６つの像ブレ要因のうち、像ブレ発生回数３２が最も多い２つの像ブレ要因を選択する。そして、ここで選択された２つの像ブレ要因について、対応するアドバイスを液晶モニタ２０に表示する。なお、像ブレ発生回数３２が最も多い像ブレ要因が３つ以上存在していた場合には、それらの中から所定の基準で２つの像ブレ要因を選択する。例えば、要因Ａ〜要因Ｆの順で最初の２つを選択する。図４の像ブレ要因テーブル３５には、各々の像ブレ要因に対応するアドバイスが示されている。
【００２７】
例えば、フラッシュメモリ１８に図２に示す像ブレ発生回数３２が記録されている場合、表示制御部１６ｄは、発生回数が最も多い要因Ｃと要因Ｅとを選択する。そして、これらに対応するアドバイスとして、図４のアドバイス３５Ｃ，３５Ｅを液晶モニタ２０に並べて表示する。なお、これらのアドバイスを並べて表示するのではなく、どちらか一方を無作為に選択し、選択した１つのアドバイスのみを表示するようにしてもよい。
【００２８】
次に、以上で説明した制御回路１６の動作について、図を用いて説明する。図５は、撮影時に制御回路１６が実行する処理のフローチャートである。図５に示す処理を実行するプログラムは、例えばフラッシュメモリ１８に記録されている。まずステップＳ１１で、制御回路は撮影処理を行う。ステップＳ１２では、像ブレ判定部１６ａが撮影画像の像ブレ量を定量化する。ステップＳ１３では、像ブレ判定部１６ａが撮影画像の像ブレ量が所定のしきい値以上か否かを判定する。像ブレ量がしきい値以上であった場合にはステップＳ２１へ、そうでない場合にはステップＳ３２へ進む。
【００２９】
ステップＳ２１では、像ブレ要因探索部１６ｂが像ブレ要因の探索を行う。ステップＳ２２では、制御回路１６が画像ファイルを記憶媒体２２に記録すると共に、記録制御部１６ｃが像ブレ判定履歴３１および像ブレ発生回数３２を更新する。ステップＳ２３では、表示制御部１６ｄが像ブレ判定履歴３１に像ブレ発生が３回以上記録されているか否かを判定する。像ブレ判定履歴３１に像ブレ発生が３回以上含まれていた場合にはステップＳ２４に進み、そうでない場合にはそのまま処理を終了する。
【００３０】
ステップＳ２４では、表示制御部１６ｄが像ブレ発生回数３２から像ブレの回数が最も多い２つの像ブレ要因を選択する。そして、表示制御部１６ｄが選択した像ブレ要因に対応するアドバイスを像ブレ要因テーブル３５から取得し、液晶モニタ２０に表示する。ステップＳ２５では、記録制御部１６ｃが上達レベル３３を１減じる。ステップＳ２６では、自動判定部１６ｅが自動設定テーブル３６に基づいて、撮影パラメータ値の設定範囲が新しい上達レベルに対応するものに変更される。その後、処理を終了する。
【００３１】
ステップＳ１３において、像ブレ量がしきい値以上ではなかった場合すなわち像ブレが発生していなかった場合には、ステップＳ３２へ進む。ステップＳ３２では、制御回路１６が画像ファイルが記憶媒体２２に記録すると共に、記録制御部１６ｃが像ブレ判定履歴３１を更新する。ステップＳ３３では、表示制御部１６ｄが像ブレ判定履歴３１に判定結果が５０件分格納されており且つそれらに像ブレ発生が含まれていないか否かを判定する。すなわち、ユーザーが過去５０回の撮影において、像ブレを一切発生させなかったか否かを判定する。像ブレが一度も発生していなかった場合にはステップＳ３４へ進み、像ブレが一度でも発生していた場合にはそのまま処理を終了する。
【００３２】
ステップＳ３４では、表示制御部１６ｄが過去５０回の撮影において一度も像ブレを発生させなかったことを称えるメッセージを液晶モニタ２０に表示する。ステップＳ３５では、記録制御部１６ｃが上達レベル３３を１増やす。ステップＳ３６では、自動判定部１６ｅが自動設定テーブル３６に基づいて、撮影パラメータ値の設定範囲を新しい上達レベルに対応するものに変更する。ステップＳ３７では、記録制御部１６ｃが像ブレ判定履歴３１をクリアする。像ブレ判定履歴３１のクリアを行うのは、少なくとも更に５０回の撮影を行わない限り上達レベルを増やさないようにするためである。像ブレ判定履歴３１をクリアしたら、そのまま処理を終了する。
【００３３】
上述した第１の実施の形態によるデジタルカメラによれば、次の作用効果が得られる。
（１）像ブレ判定部１６ａにより撮影画像の像ブレ量が所定量以上か否かが判定され、この判定結果が記録制御部１６ｃにより像ブレ判定履歴３１としてフラッシュメモリ１８へ記録される。そして、像ブレ判定履歴３１に像ブレ発生が３件以上記録されていた場合には、表示制御部１６ｄにより液晶モニタ２０へ像ブレ量を軽減するためのアドバイスが表示される。これにより、像ブレが発生しづらい撮影条件が促され、より像ブレ量の少ない撮影を行うことができる。
【００３４】
（２）像ブレが発生すると、像ブレ要因探索部１６ｂが撮影条件に基づき像ブレ要因を探索し、記録制御部１６ｃが像ブレ要因毎の像ブレ発生回数を像ブレ発生回数３２としてフラッシュメモリ１８へ記録する。表示制御部１６ｄは、像ブレ発生回数３２に記録された像ブレ要因毎の像ブレ回数に基づいて、像ブレ量を軽減するためのアドバイスを表示する。これにより、これまでに実際に発生した像ブレ要因に対応する、像ブレ量軽減のためのより適切なアドバイスを表示することができる。
【００３５】
（３）表示制御部１６ｄは、像ブレ発生回数３２に記録された像ブレ回数が多い順に、２つの像ブレ要因を選択し、選択した像ブレ要因に対応するアドバイスを像ブレ要因テーブル３５から取得して表示する。これにより、発生頻度の高い像ブレ要因に限定した、より的確なアドバイスを表示することができる。
【００３６】
（４）記録制御部１６ｃは像ブレ判定履歴３１に基づいて上達レベル３３を記録し、自動設定部１６ｅは、撮影時の撮影パラメータ値であるシャッター速度およびＩＳＯ感度を、上達レベル３３に基づく所定の範囲内で自動的に設定する。これにより、像ブレの頻度に応じた適切な撮影条件を得ることができる。
【００３７】
上述した第１の実施の形態では、１つのデジタルカメラにつき、像ブレ判定履歴３１、像ブレ発生回数３２、および上達レベル３３を１組だけ記録していた。以下に詳述する第２の実施の形態では、これらのデータを、１つのデジタルカメラに複数組記録する。
【００３８】
――第２の実施の形態――
図６は本実施の形態によるデジタルカメラおよび画像管理装置を示すブロック図である。デジタルカメラ１０１と画像管理装置１０２とは、例えば通信回線などを通じて相互に接続される。また、画像管理装置１０２は、あらかじめ定めてある演算処理およびプログラム実行処理を行うＣＰＵと、所定のプログラムおよびデータを記憶する記憶装置と、上記ＣＰＵがプログラムを実行するに際して必要なデータを入力する入力装置と、上記ＣＰＵがプログラムを実行した結果を表示する表示装置とを含んだコンピュータ（いずれも不図示）によって実現される。
【００３９】
デジタルカメラ１０１は、複数のユーザーの各々に対応するプロファイルデータ４１Ｘ，４１Ｙと、画像ファイル群４２と、カメラＩＤ４３とを保持する。これらのデータはフラッシュメモリに記録してもよいし、可搬の記憶媒体に記録してもよい。
【００４０】
本実施の形態では、第１の実施の形態における像ブレ判定履歴３１と、像ブレ発生回数３２と、上達レベル３３との組み合わせを、プロファイルデータと呼ぶ。ユーザー１人に対しプロファイルデータが１つ存在し、１つのプロファイルデータには上述した３つのデータが１つずつ含まれている。例えば図６では、ユーザーＸのプロファイルデータ４１Ｘは像ブレ判定履歴３１Ｘと、像ブレ発生回数３２Ｘと、上達レベル３３Ｘとを含む。同様に、ユーザーＹのプロファイルデータ４１Ｙは、像ブレ判定履歴３１Ｙと、像ブレ発生回数３２Ｙと、上達レベル３３Ｙとを含む。
【００４１】
画像ファイル群４２は、デジタルカメラ１０１を用いて撮影を行うことにより作成された複数の画像ファイルである。カメラＩＤ４３は、各々のカメラに対して一意に割り当てられた識別子である。図６では、デジタルカメラ１０１のカメラＩＤ４３として、「ＡＡＡ１２３」という文字列が割り当てられている。
【００４２】
デジタルカメラ１０１を使用する際に、撮影者は、自分がどのユーザーであるのかをデジタルカメラ１０１へ指示する必要がある。デジタルカメラ１０１は液晶モニタにユーザー選択のためのメニューを表示する。例えば撮影者が、自分がユーザーＸであると指示すると、これ以降、デジタルカメラ１０１を用いた撮影により、ユーザーＸのプロファイルデータ４１Ｘが更新されるようになる。例えば撮影を行う度に、ユーザーＸのプロファイルデータ４１Ｘに含まれている像ブレ判定履歴３１Ｘへ像ブレの有無が記録されたり、像ブレ発生回数３２Ｘへ像ブレ要因毎の像ブレ発生回数が加算されたりする。また、自動設定部による撮影パラメータ値の自動設定は、上達レベル３３Ｘに基づいて行われる。
【００４３】
画像管理装置１０２は、複数のカメラに記録された複数のプロファイルデータをユーザー毎に集約し、記憶装置に記録する。図６では、画像管理装置１０２は、ユーザーの各々に対応するユーザーデータ５１Ｘ，５１Ｙと、画像ライブラリ５３とを保持する。ユーザーデータは、１人のユーザーに対応する複数のプロファイルデータと、それらのプロファイルデータに含まれる像ブレ発生回数を累計した累計像ブレ発生回数とを含むデータである。
【００４４】
図６では、ユーザーＸに対応するユーザーデータ５１Ｘが、デジタルカメラ１０１に記録されていたユーザーＸのプロファイルデータ４１Ｘと、デジタルカメラ１０１とは異なるカメラに記録されていたユーザーＸのプロファイルデータ４４Ｘとを含んでいる。更にユーザーデータ５１Ｘには、これら２つのプロファイルデータ４１Ｘ，４４Ｘに含まれている像ブレ発生回数を像ブレ要因毎に累計した、累計像ブレ発生回数５２Ｘが含まれている。
【００４５】
ユーザーデータ５１Ｙはユーザーデータ５１Ｘと同様に、ユーザーＹに対応するユーザーデータである。画像ライブラリ５３は、複数のカメラから受信した画像ファイルから成る画像ファイル群である。
【００４６】
デジタルカメラ１０１が画像管理装置１０２へ接続されると、画像管理装置１０２はデジタルカメラ１０１から全てのユーザープロファイルデータ４１Ｘ，４１Ｙと、画像ファイル群４２と、カメラＩＤ４３とを受信する。そして、各々のユーザーに対応するユーザーデータへ、カメラＩＤ４３に関連付けた形でプロファイルデータを格納する。例えば図６のように、ユーザーＸのプロファイルデータ４１ＸとユーザーＹのプロファイルデータ４１Ｙとを記録するデジタルカメラ１０１を画像管理装置１０２へ接続すると、ユーザーＸのユーザーデータ５１Ｘへ、カメラＩＤ４３と関連付けられた形でプロファイルデータ４１Ｘが格納され、同様にユーザーＹのユーザーデータ５１Ｙへ、カメラＩＤ４３と関連付けられた形でプロファイルデータ４１Ｙが格納される。
【００４７】
画像管理装置１０２は、累計像ブレ発生回数５２Ｘを用いて、ユーザーＸへ複数のカメラに跨る像ブレ発生状況を報知する。ユーザーは、このようにして報知される像ブレ発生状況から、自分がどのような状況で像ブレを発生させることが多いのかを知ることができる。
【００４８】
上述した第２の実施の形態によるデジタルカメラおよび画像管理装置によれば、第１の実施の形態によるデジタルカメラで得られる作用効果に加えて、次の作用効果が得られる。
（１）デジタルカメラ１０１は利用時に撮影者を識別するためのメニューを表示する。このメニューにおいて、撮影者がどのユーザーであるのか指示を受けると、デジタルカメラ１０１は、指示されたユーザーに対応するプロファイルデータへ像ブレ判定履歴などを記録する。これにより、１つのカメラを複数のユーザーで利用する場合であっても、各々のユーザーの特性に応じた像ブレ軽減を行うことができる。
【００４９】
（２）デジタルカメラ１０１には、像ブレ判定履歴などを含むユーザー毎のプロファイルデータと共に、カメラ毎に割り当てられた一意な識別子であるカメラＩＤが記録されている。これにより、複数のカメラに記録された同一ユーザーのプロファイルデータを互いに区別することができる。
【００５０】
（３）画像管理装置１０２は、デジタルカメラ１０１が接続されると、デジタルカメラ１０１から像ブレ判定履歴や像ブレ発生回数を含むプロファイルデータと、カメラＩＤと、画像ファイル群とを受信する。そして、各々のユーザーについて、ユーザーに対応する全てのプロファイルデータの像ブレ発生回数を累計し、累計像ブレ発生回数として記憶装置に記録する。これにより、複数のカメラを利用する際に、すべてのカメラにおける像ブレ発生頻度を確認し、ユーザーへ像ブレの発生しにくい撮影を促すことができる。
【００５１】
次のような変形も本発明の範囲内であり、変形例の一つ、もしくは複数を上述の実施形態と組み合わせることも可能である。
（１）デジタルカメラによる像ブレ軽減のためのアドバイスは、どのような形態で表示されてもよい。例えば、複数のアドバイスを並べて表示してもよいし、複数のアドバイスから１つを無作為に選択して表示してもよい。また、複数のアドバイスをスクロールさせて順に表示させてもよい。
【００５２】
（２）デジタルカメラによる像ブレ軽減のためのアドバイスは、撮影直後のフリーズ画表示の際に行ってもよいし、撮影後のスルー画表示中に行ってもよい。また、アドバイスを表示する場所は問わない。例えば画面に表示されている画像などに重ねて表示させてもよいし、独立した表示領域に表示するようにしてもよい。また、アドバイスを表示するための表示装置を備えていてもよい。
【００５３】
（３）画像管理装置に記録された累計像ブレ発生回数を、デジタルカメラにフィードバックするようにしてもよい。この場合、累計像ブレ発生回数を作成した後、画像管理装置により累計像ブレ発生回数がデジタルカメラへ転送される。
【００５４】
（４）像ブレの有無を判定するために、ジャイロセンサなどのセンサを用いなくてもよい。例えば、撮影画像に対して画像解析を行うことで、像ブレ量を定量化してもよい。
【００５５】
（５）撮影者がどのユーザーであるかを、メニュー以外の手段で特定してもよい。例えばデジタルカメラに指紋認証機能を搭載し、撮影者の指紋情報とあらかじめ登録されたユーザー毎の指紋情報とを比較することでユーザーの特定を行ってもよい。あるいは、記憶媒体にユーザーの情報を記録しておき、デジタルカメラに装着された記憶媒体からユーザーを特定してもよい。
【００５６】
（６）像ブレ発生要因毎の像ブレ発生回数は、独立したファイルに記録してもよいし、撮影時に像ブレが発生した各々の画像ファイルにメタデータとして記録するようにしてもよい。また、画像ファイルとは異なる記憶媒体に記録してもよいし、無線通信機能などによって遠隔地の記憶媒体に記録してもよい。
【００５７】
本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５８】
【図１】第１の実施の形態によるデジタルカメラの回路構成を示すブロック図である。
【図２】記録制御部１６ｃがフラッシュメモリ１８に記録するデータを示す図である。
【図３】上達レベル３３の値に応じて自動設定部１６ｅが設定する撮影パラメータ値を示す図である。
【図４】像ブレ要因探索部１６ｂが探索する像ブレ要因と、各々の像ブレ要因に対応するアドバイスとを示す図である。
【図５】撮影時に制御回路１６が実行する処理のフローチャートである。
【図６】第２の実施の形態によるデジタルカメラおよび画像管理装置を示すブロック図である。
【符号の説明】
【００５９】
１，１０１  デジタルカメラ、１６  制御回路、１６ａ  像ブレ判定部、１６ｂ  像ブレ要因探索部、１６ｃ  記録制御部、１６ｄ  表示制御部、１６ｅ  自動設定部、３１  像ブレ判定履歴、３２  像ブレ発生回数、３３  上達レベル、１０２  画像管理装置
【図１】
2010109920.tif 000003
【図２】
2010109920.tif 000004
【図３】
2010109920.tif 000005
【図４】
2010109920.tif 000006
【図５】
2010109920.tif 000007
【図６】
2010109920.tif 000008